(57)【特許請求の範囲】
【請求項１】
仮設撤去可能で且つエア吹込みにより立体構造になる二重膜構造のテント本体に入口と出口を設け、該テント本体の内部に前記入口から出口に向けて最初に脱衣ゾーンを配置し、次いで除染ゾーン、着衣ゾーンを順に配列すると共に、各ゾーン間に上部側をエア移動用の連通空間にした仕切りを設け、前記除染ゾーンの前段に洗浄シャワーゾーンを設けると共に、後段にリンスシャワーゾーンを設け、且つ該除染ゾーンに前記テント本体の内壁からエアを吹き出すエア吹出口を設けたＮＢＣ災害用除染設備。
【請求項２】
前記テント本体の内部を中仕切により複数列の独立空間に区分し、各列の独立空間にそれぞれ前記脱衣ゾーン、除染ゾーン、着衣ゾーンを順に配列した請求項１に記載のＮＢＣ災害用除染設備。
【請求項３】
前記二重膜構造の空間に対するエア供給路にガス吸着剤を内蔵するエアフィルターを設けた請求項１又は２に記載のＮＢＣ災害用除染設備。
【請求項４】
前記ガス吸着剤が活性炭である請求項３に記載のＮＢＣ災害用除染設備。
【請求項５】
前記脱衣ゾーンに汚染状態を評価する測定手段を設置し、前記着衣ゾーンに除染程度を評価する測定手段を設置した請求項１〜４のいずれかに記載のＮＢＣ災害用除染設備。
【請求項６】
前記除染ゾーンの底部に高床パネルを設け、該高床パネルの下側にドレンパン状のグランドシートを廃液貯留部として敷設し、さらに該廃液貯留部から廃液を汲みだすポンプを設けた請求項１〜５のいずれかに記載のＮＢＣ災害用除染設備。
【発明の詳細な説明】
【０００１】
【発明の属する技術分野】
本発明は除染設備に関し、更に詳しくは、突然のＮＢＣ災害（ニュークリア、バイオ、ケミカル災害）で発生した多数の被災者の除染のため緊急的に簡単に設営可能にした除染設備に関する。
【０００２】
【従来の技術】
例えば、ＮＢＣ災害として化学災害が突然発生し、毒ガス等の有害物質が放出することにより多数の人が汚染された場合、それら被災者は治療のために病院等の医療機関に押し寄せることになる。しかし、有害物質に汚染された被災者が、そのまま病院に直接入り込むと、被災者の衣服や人体に付着していた有害物質が持ち込まれるため、病院内にいた非汚染者や医療関係者までが二次汚染されることにより、さらに被害が拡大することになる。
【０００３】
そのため、このような二次汚染を未然に防止する安全対策が強く求められている。
【０００４】
【発明が解決しようとする課題】
本発明の目的は、ＮＢＣ災害等で有害物質に汚染された被災者が多数発生した場合、被災現場や医療機関の入口等に緊急的に設営することにより効果的な除染を可能にするＮＢＣ災害用除染設備を提供することにある。
【０００５】
【課題を解決するための手段】
上記目的を達成する本発明のＮＢＣ災害用除染設備は、仮設撤去可能で且つエア吹込みにより立体構造になる二重膜構造のテント本体に入口と出口を設け、該テント本体の内部に前記入口から出口に向けて最初に脱衣ゾーンを配置し、次いで除染ゾーン、着衣ゾーンを順に配列すると共に、各ゾーン間に上部側をエア移動用の連通空間にした仕切りを設け、前記除染ゾーンの前段に洗浄シャワーゾーンを設けると共に、後段にリンスシャワーゾーンを設け、且つ該除染ゾーンに前記テント本体の内壁からエアを吹き出すエア吹出口を設けたことを特徴とするものである。
【０００６】
このようにエア吹込みによって立体構造になるテント本体を使用するため、ＮＢＣ災害が突発的に発生しても短時間で設営することが可能である。また、テント本体には、入口から出口に沿って脱衣ゾーン、除染ゾーン、着衣ゾーンを順に配置しているため、これを被災現場近くや医療機関の入口、或いは被災現場から医療機関に向かう途中に仮設すれば、有害物質に汚染された被災者がテント本体の入口から入り、流れに沿って脱衣ゾーンで汚染衣服を脱ぎ、除染ゾーンで身体を洗い、着衣ゾーンで非汚染衣服を付けることで除染された状態になるため二次汚染を防止することができる。
【０００７】
また、テント本体の内壁にエア吹出口を設け、このエア吹出口からテント本体の立体維持のため吹き込まれたエアの一部を吹き出すため、被災者が除染することによりテント内に放出された有害ガスをテント外へ速やかに排出するため、被災者の更なる身体被害を抑制することができる。
【０００８】
【発明の実施の形態】
以下、本発明を図１，２に示す実施形態を参照して説明する。
【０００９】
本発明の除染設備１は、仮設撤去が容易なテント本体２を主たる構造体としている。そのテント本体２は外膜２o と内膜２i を有する二重膜構造からなり、その二重膜構造の外膜２o と内膜２i との空間に送風機６からエアを吹き込むと、数分以内にドーム状の立体構造にすることができ、またエアを抜けば簡単に折り畳み可能になる。このテント本体２のドーム状立体構造は、送風機６からエアを常時送風することにより、風雨が強い場合でも立体を維持可能な強固な構成にすることができる。
【００１０】
上記テント本体２は、内部の幅方向中央に長手方向に延長する中仕切り１２が設けられ、空間が左右に２分されている。この左右二つの独立空間の前後に、それぞれ入口６Ａ，６Ｂと出口９Ａ，９Ｂが形成され、かつそれぞれに扉用のカーテン１０Ａ，１０Ｂ及び１１Ａ，１１Ｂが設けられている。
【００１１】
このように中仕切り１２で区分された二つの独立空間は、一方を男性用除染経路として、入口６Ａから出口９Ａにかけて脱衣ゾーン３Ａ、除染ゾーン４Ａ、着衣ゾーン５Ａが順に配置され、また他方を女性用除染経路として、入口６Ｂから出口９Ｂにかけて脱衣ゾーン３Ｂ、除染ゾーン４Ｂ、着衣ゾーン５Ｂが順に配置されている。
【００１２】
これら隣接するゾーン間には、間仕切りとしてカーテン７Ａ，７Ｂ及び８Ａ，８Ｂが設けられているが、これらカーテンはゾーン間を完全封鎖するのではなく、人の移動と空気の移動とが容易に行える構造になっている。特にゾーン間における空気の自由移動を容易にするため、カーテン７Ａ，７Ｂ及び８Ａ，８Ｂの上方側を連通空間にするようにしてあってもよい。
【００１３】
上記脱衣ゾーン３Ａ，３Ｂは、有害物質に汚染された被災者が最初に入る場所である。ここで、先ず被災者は汚染された衣服を脱ぎ捨てる。次の除染ゾーン４Ａ，４Ｂは、脱衣ゾーン３Ａ，３Ｂで裸になった被災者が、身体に付着した有害物質を洗い流す場所である。その洗浄用のシャワー装置として、複数のシャワーヘッド１３，１４が装備されている。この除染ゾーン４Ａ，４Ｂは、それぞれ前段を洗浄シャワー・ゾーン４Ａ1 ，４Ｂ1 とし、後段をリンスシャワー・ゾーン４Ａ2 ，４Ｂ2 としている。
【００１４】
洗浄シャワー・ゾーン４Ａ1 ，４Ｂ1 では、シャワーヘッド１３から温水等の洗浄液を噴射して、被災者の身体に付着した有害物質を洗い流す。洗浄液には、化学災害の原因物質（有害物質）の種類が判明している場合には、その中和剤を混合したものが使用される。有害物質の種類が判明していないときは、取り敢えず洗い落とすことが必要であるので温水等が使用される。さらに、後段のリンスシャワー・ゾーン４Ａ2 ，４Ｂ2 は、前段で使用した洗浄液で未だ有害物質を含んだ液が残存している場合があるので、それを完全に洗い流して元の非汚染状態にするためのものである。最後の着衣ゾーン５Ａ，５Ｂは、汚染されていない新しい衣服を着用する場所である。
【００１５】
上記脱衣ゾーン３Ａ，３Ｂには、必要により被災者の汚染状態を評価する測定手段を設置するとよい。このような評価測定手段を設置することにより、被災者が次の除染ゾーン４Ａ，４Ｂでどの程度除染すればよいか、すなわち比較的簡単な除染操作でよいのか、或いは念入りに除染操作しなければならないのかを知ることができる。また、必要により着衣ゾーン５Ａ，５Ｂにも、除染程度を再評価する測定手段を設置するとよい。この再評価測定手段により測定した結果、除染が不十分であれば、再び脱衣ゾーン３Ａ，３Ｂへ戻って、再除染することができる。
【００１６】
テント本体２の内壁にはエア吹出口１５が数カ所に設けられている。すなわち図示の実施形態では、除染ゾーン４Ａ，４Ｂにおける内膜２i に、それぞれエア吹出口１５が設けられている。このエア吹出口１５からは、テント本体２に充填されているエアの一部がテント内部に吹き込まれ、そのエアによりテント内の内圧が上昇するため、空気が除染ゾーン４Ａ，４Ｂから両側に隣接する脱衣ゾーン３Ａ，３Ｂと着衣ゾーン５Ａ，５Ｂとにそれぞれ移動し、さらに外気へ排出される。
【００１７】
すなわち、テント内には被災者が除染すると、有害物質が空気中に放出され、次第に汚染されていく。しかし、上記のようにエア吹出口１５から吹き込まれたエアが、有害物質で汚染された空気を随伴して外気中に排出するため、テント内の空気をクリーンな状態に維持する。
【００１８】
このようなエア吹出口１５から吹き出すエアを利用してテント内空気を一層クリーンにするには、テント本体２に連結した送風機６のエア供給路１７に、ガス吸着剤を内蔵したエアフィルター１６を設けるとよい。テント本体２に対するエア供給手段が遠方の別の送風機である場合にも、そのエア供給路に対して同様のエアフィルターを設けるようにするとよい。ガス吸着剤としては特に限定されないが、例えば粉末状の活性炭などを使用するとよい。この活性炭により有害ガスの吸着除去を有効に行うことができる。
【００１９】
本発明において、テント本体２の大きさは特に限定されないが、重症の被災者はストレッチャーＳで運び込まれることになるので、男性用除染経路及び女性用除染経路とも、歩行可能な被災者とストレッチャーＳとが共に使用できる程度のスペースを確保することが好ましい。例えば、各除染経路とも、その幅を約１２０cmまたはそれ以上にすることが好ましい。
【００２０】
除染ゾーン４Ａ，４Ｂは、上述したシャワーヘッド１３，１４を備えるほか、床を高床パネル２０にし、その下側に洗浄液の廃液貯留部となるグランドシート２５を敷設する。高床パネル２０には中仕切り１２側に複数のフレーム２１を立設し、その各フレーム２１にそれぞれシャワーヘッド１３，１４を取り付けている。各シャワーヘッド１３，１４は、それぞれ外部に設置した給湯設備２３にホースｈ１を介して接続され、３０〜３５℃の温水が供給されるようになっている。また、高床パネル２０には、テント本体２の内壁側に複数の手すり２４を立設し、自力歩行が不安定になった被災者が利用できるようになっている。
【００２１】
高床パネル２０の下側に敷設したグランドシート２５はドレンパン状に形成され、そこに有害物質が混合した洗浄廃液を貯留することにより、土壌汚染を防ぐようにしている。グランドシート２５に貯留された廃液はポンプ２６により汲上げられ、ホースｈ２を介して外部に設置した組立式水槽２７に回収されるようになっている。
【００２２】
脱衣ゾーン３Ａ，３Ｂ及び着衣ゾーン５Ａ，５Ｂには、除染ゾーン４Ａ，４Ｂの高床パネル２０への昇り降りを容易にするため、それぞれスロープパネル２８，２９が設けられている。また、着衣ゾーン５Ａ，５Ｂには、必要により温調機３０が設けられるようになっている。３１はその温調機３０の室外機である。
【００２３】
また、各電動機器に対する電源は、近くの建物から融通するようにしてもよいが、発動発電機３２を付設することにより自給するようにしてもよい。
【００２４】
上述した除染設備１は、送風機６からエアを供給するだけでテント本体２を短時間でドーム状の立体構造にできるので、突発的なＮＢＣ災害で多数の被災者が発生した場合でもも、簡単に設営することができる。すなわち、災害現場付近はもちろんのこと、災害現場から医療施設に向かう途中、病院などの医療機関の入口などに簡単に仮設することができる。
【００２５】
また、被災者は、脱衣ゾーン３Ａ，３Ｂで有害物質で汚染された衣服を脱ぎ、除染ゾーン４Ａ，４Ｂで身体に付着した有害物質を洗い流し、或いは有害物質が判明しているときは中和処理し、更にリンスにより除染を確実にしたのち、着衣ゾーン５で非汚染の衣服を付けることができる。したがって、このように非汚染状態になってから、治療のため医療施設に入るようにすることで、二次汚染を防ぐことができる。
【００２６】
以上説明した実施形態では、主として化学災害の場合について説明したが、本発明はＮＢＣ災害（ニュークリア、バイオ、ケミカル災害）一般に適用することができる。
【００２７】
また、実施形態では、テント本体の内部を中仕切りによって男性用除染通路と女性用除染通路とに２区分したが、必ずしも中仕切りを設けなくてもよい。中仕切りで区分しない場合は、コスト的には不利になるが、テント本体を男性被災者用と女性被災者用とにそれぞれ２基設置すればよい。
【００２８】
また、テント本体内部を複数の中仕切りにより２〜４列の複数列に区分し、各列を被災程度に応じて、軽症、中症、重症に応じて除染処理できるようにしてもよい。すなわち、軽症であれば自力で除染処理ができるが、中症、重症になると、その程度によって介護者が必要な場合があるので、それら介護者が待機した広い除染経路が必要な場合もある。
【００３０】
【発明の効果】
上述したように本発明によれば、エア吹込みによって立体構造になるテント本体を使用するため、ＮＢＣ災害が突発的に発生しても短時間で設営することが可能である。また、テント本体には、入口から出口に沿って脱衣ゾーン、除染ゾーン、着衣ゾーンを順に配置しているため、これを被災現場近くや医療機関の入口、或いは被災現場から医療機関に向かう途中に仮設すれば、有害物質に汚染された被災者がテント本体の入口から入り、流れに沿って脱衣ゾーンで汚染衣服を脱ぎ、除染ゾーンで身体を洗い、着衣ゾーンで非汚染衣服を付けることで除染された状態になるため二次汚染を防止することができる。
【００３１】
また、テント本体の内壁にエア吹出口を設け、このエア吹出口からテント本体の立体維持のため吹き込まれたエアの一部を吹き出すため、被災者が除染することによりテント内に放出された有害ガスをテント外へ速やかに排出するため、被災者の更なる身体被害を抑制することができる。
【図面の簡単な説明】
【図１】本発明の実施形態からなる除染設備を一部切り欠いて示す斜視図である。
【図２】図１の除染設備を平面にして示す説明図である。
【符号の説明】
１  除染設備
２  テント本体
２o   外膜
２i   内膜
３Ａ，３Ｂ  脱衣ゾーン
４Ａ，４Ｂ  除染ゾーン
５Ａ，５Ｂ  着衣ゾーン
６Ａ，６Ｂ  入口
７Ａ，７Ｂ，８Ａ，８Ｂ  カーテン（仕切り）
９Ａ，９Ｂ  出口
１２  中仕切り
１３，１４  シャワーヘッド
１５  エア吹出口
１６  エアフィルター
１７  エア供給路
【図１】
0003938297.tif 000002
【図２】
0003938297.tif 000003